(57)【要約】      （修正有）【課題】フォーカシングに際しての収差変動が少なく、全物体距離にわたり高い光学性能を有し、しかもフォーカシングを高速に行うことが容易なズームレンズを提供する。【解決手段】複数のレンズ群を有し、ズーミングに際して隣り合うレンズ群の間隔が変化するズームレンズにおいて、正の屈折力の部分群Ｌｐ１と、部分群Ｌｐ１の像側に隣接して配置された正の屈折力の部分群Ｌｐ２を有し、部分群Ｌｐ１の物体側に１以上のレンズ群を有し、部分群Ｌｐ１の物体側に配置されているレンズ系の合成焦点距離は全ズーム範囲において負であり、無限遠物体から至近物体へのフォーカシングに際して部分群Ｌｐ２は光軸に沿って像側に移動し、部分群Ｌｐ１の焦点距離ｆｐ１、部分群Ｌｐ２の焦点距離ｆｐ２を各々適切に設定する。【選択図】図１
2015152765.tif 000002
【特許請求の範囲】
【請求項１】
複数のレンズ群を有し、ズーミングに際して隣り合うレンズ群の間隔が変化するズームレンズにおいて、
正の屈折力の部分群Ｌｐ１と、該部分群Ｌｐ１の像側に隣接して配置された正の屈折力の部分群Ｌｐ２を有し、前記部分群Ｌｐ１の物体側に１以上のレンズ群を有し、
前記部分群Ｌｐ１の物体側に配置されているレンズ系の合成焦点距離は全ズーム範囲において負であり、
無限遠物体から至近物体へのフォーカシングに際して前記部分群Ｌｐ２は光軸に沿って像側に移動し、前記部分群Ｌｐ１の焦点距離をｆｐ１、前記部分群Ｌｐ２の焦点距離をｆｐ２とするとき、
１．０＜ｆｐ１／ｆｐ２＜１０．０
なる条件式を満足することを特徴とするズームレンズ。
【請求項２】
前記部分群Ｌｐ２の物体側に配置されているレンズ系の合成焦点距離は全ズーム範囲において負であることを特徴とする請求項１に記載のズームレンズ。
【請求項３】
前記部分群Ｌｐ２は２枚以下のレンズよりなることを特徴とする請求項１又は２に記載のズームレンズ。
【請求項４】
前記部分群Ｌｐ２は像側に凸面を向けた１枚の正レンズよりなることを特徴とする請求項１乃至３のいずれか１項に記載のズームレンズ。
【請求項５】
望遠端における前記部分群Ｌｐ１の横倍率をβＬｐ１ｔとするとき、
１．０５＜｜βＬｐ１ｔ｜
なる条件式を満足することを特徴とする請求項１乃至４のいずれか１項に記載のズームレンズ。
【請求項６】
広角端における前記部分群Ｌｐ１の横倍率をβＬｐ１ｗとするとき、
１．１０＜｜βＬｐ１ｗ｜
なる条件式を満足することを特徴とする請求項１乃至５のいずれか１項に記載のズームレンズ。
【請求項７】
広角端における全系の焦点距離をｆｗとするとき、
２．０＜ｆｐ１／ｆｗ＜３０．０
１．０＜ｆｐ２／ｆｗ＜１５．０
なる条件式を満足することを特徴とする請求項１乃至６のいずれか１項に記載のズームレンズ。
【請求項８】
前記部分群Ｌｐ２の像側に正の屈折力の部分群Ｌｐ３が隣接して配置されていることを特徴とする請求項１乃至７のいずれか１項に記載のズームレンズ。
【請求項９】
前記部分群Ｌｐ１の物体側に配置されているレンズ系の広角端における合成焦点距離をｆｆ１、前記部分群Ｌｐ２よりも物体側に配置されているレンズ系の広角端における合成焦点距離をｆｆ２とするとき、
−４．０＜ｆｆ１／ｆｗ＜−０．５
−６．０＜ｆｆ２／ｆｗ＜−０．５
なる条件式を満足することを特徴とする請求項１乃至８のいずれか１項に記載のズームレンズ。
【請求項１０】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して各レンズ群が移動し、前記第３レンズ群は、物体側から像側へ順に、前記部分群Ｌｐ１、前記部分群Ｌｐ２、正の屈折力の部分群Ｌｐ３より構成されることを特徴とする請求項１乃至９のいずれか１項に記載のズームレンズ。
【請求項１１】
前記ズームレンズは、物体側より像側へ順に、正の屈折力の第１レンズ群、負の屈折力の第２レンズ群、正の屈折力の第３レンズ群、正の屈折力の第４レンズ群、正の屈折力の第５レンズ群、負の屈折力の第６レンズ群、正の屈折力の第７レンズ群より構成され、ズーミングに際して各レンズ群が移動し、前記第３レンズ群は前記部分群Ｌｐ１であり、前記第４レンズ群は前記部分群Ｌｐ２であり、前記第５レンズ群は前記部分群Ｌｐ３であることを特徴する請求項８に記載のズームレンズ。
【請求項１２】
前記ズームレンズは、物体側より像側へ順に、負の屈折力の第１レンズ群、正の屈折力の第２レンズ群、負の屈折力の第３レンズ群、正の屈折力の第４レンズ群より構成され、ズーミングに際して各レンズ群が移動し、前記第２レンズ群は、物体側から像側へ順に、前記部分群Ｌｐ１、前記部分群Ｌｐ２、正の屈折力の部分群Ｌｐ３より構成されることを特徴とする請求項１乃至９のいずれか１項に記載のズームレンズ。
【請求項１３】
請求項１乃至１２のいずれか１項のズームレンズと、該ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、例えばデジタルスチルカメラ、デジタルビデオカメラ、ＴＶカメラ、監視カメラ等の撮像光学系に好適なものである。
【背景技術】
【０００２】
従来、撮像装置に用いられる撮像光学系には、無限遠から至近距離に至る全物体距離にわたり高い光学性能を有することが要望されている。また高速度でしかも高精度にフォーカスすることができることが要望されている。特にオートフォーカス（自動合焦）を行う際には、フォーカス速度（合焦速度）が速いことが要望されている。
【０００３】
一方、近年の一眼レフカメラ等の撮像装置では動画撮影機能を有すること、動画撮影中にオートフォーカスできることが要望されている。動画を撮影するときのオートフォーカス方式としては、撮像信号のコントラストの変化を検出することによって撮像光学系の合焦状態を評価する、コントラストＡＦ方式（ＴＶ−ＡＦ方式）が多く用いられている。
【０００４】
ＴＶ−ＡＦ方式においては、フォーカスレンズ群を光軸方向に高速に微小振動させ、そのとき得られる撮像信号を用いる。ＴＶ−ＡＦ方式では、フォーカスレンズ群を高速に駆動させることができ、しかもフォーカスレンズ群を駆動させる駆動装置（アクチュエーター）の負荷を下げて静粛性を保つためにフォーカスレンズ群が小型軽量であることが必要となってくる。
【０００５】
従来、ズームレンズを構成する複数のレンズ群のうち比較的小型軽量のレンズ群を移動させてフォーカシングを行ったズームレンズが知られている（特許文献１乃至３）。
【０００６】
特許文献１では、物体側より順に正、負、正、正の屈折力の第１レンズ群乃至第４レンズ群を有するズームレンズにおいて、第２レンズ群もしくは第１レンズ群および第２レンズ群を光軸方向に移動させてフォーカシングを行っている。
【０００７】
特許文献２では物体側から像側へ順に、正、負、正、正、正の屈折力の第１レンズ群乃至第５レンズ群からなり、各レンズ群を移動させてズーミングを行うズームレンズにおいて、第３レンズ群でフォーカシングを行っている。
【０００８】
特許文献３では物体側より順に負、正、負、正の屈折力の第１レンズ群乃至第４レンズ群を有するズームレンズにおいて、第２レンズ群を光軸方向に移動させてフォーカシングを行っている。
【先行技術文献】
【特許文献】
【０００９】
【特許文献１】特開２００３−２９５０６０号公報
【特許文献２】特開２００９−２５１１１４号公報
【特許文献３】特開２０１２−２４７６８７号公報
【発明の概要】
【発明が解決しようとする課題】
【００１０】
撮像装置に用いられるズームレンズには高速でしかも高精度にフォーカシングができ、しかも無限遠から至近に至る全物体距離にわたり高い光学性能を有することが要望されている。全系の小型化を図りつつ、全物体距離にわたり高い光学性能を有し、しかも高速にフォーカシングを行うことができるズームレンズを得るには、ズームタイプ及びフォーカスレンズ群の数やそれらの移動条件等を適切に構成することが重要になってくる。特にフォーカスレンズ群の物体側や像側に配置するレンズ群の屈折力、フォーカスレンズ群のレンズ構成等を適切に設定することが重要になってくる。
【００１１】
これらの構成が不適切であると、全系の小型化を図りつつ、所定のズーム比を確保し無限遠から至近に至る全物体距離にわたり、高い光学性能を有するズームレンズを得るのが困難になってくる。例えばズームレンズの中で主たる変倍分担をしているレンズ群でフォーカシングを行うと、フォーカシングに伴う収差変動が増大し、これを補正するため、主たる変倍を分担しているレンズ群のレンズ構成枚数を増やす必要がある。そうすると、必然的にフォーカスレンズ群自体の重量が増大し、高速なフォーカシングが困難になる。
【００１２】
また小型軽量のレンズ群でフォーカシングをするときはフォーカスレンズ群の屈折力を適切に設定しないと、フォーカシングに際して収差変動が大きくなり、全物体距離にわたり高い光学性能を得るのが困難になる。
【００１３】
本発明は、フォーカシングに際しての収差変動が少なく、全物体距離にわたり高い光学性能を有し、しかもフォーカシングを高速に行うことが容易なズームレンズ及びそれを有する撮像装置を提供することを目的とする。
【課題を解決するための手段】
【００１４】
本発明のズームレンズは、複数のレンズ群を有し、ズーミングに際して隣り合うレンズ群の間隔が変化するズームレンズにおいて、
正の屈折力の部分群Ｌｐ１と、該部分群Ｌｐ１の像側に隣接して配置された正の屈折力の部分群Ｌｐ２を有し、前記部分群Ｌｐ１の物体側に１以上のレンズ群を有し、
前記部分群Ｌｐ１の物体側に配置されているレンズ系の合成焦点距離は全ズーム範囲において負であり、
無限遠物体から至近物体へのフォーカシングに際して前記部分群Ｌｐ２は光軸に沿って像側に移動し、前記部分群Ｌｐ１の焦点距離をｆｐ１、前記部分群Ｌｐ２の焦点距離をｆｐ２とするとき、
１．０＜ｆｐ１／ｆｐ２＜１０．０
なる条件式を満足することを特徴としている。
【発明の効果】
【００１５】
本発明によれば、フォーカシングに際しての収差変動が少なく、全物体距離にわたり高い光学性能を有し、しかもフォーカシングを高速に行うことが容易なズームレンズが得られる。
【図面の簡単な説明】
【００１６】
【図１】実施例１のズームレンズの広角端におけるレンズ断面
【図２】（Ａ），（Ｂ）  実施例１の広角端と望遠端における縦収差図（物体距離：無限遠）
【図３】（Ａ），（Ｂ）  実施例１の広角端と望遠端における縦収差図（物体距離：近距離）
【図４】実施例２のズームレンズの広角端におけるレンズ断面
【図５】（Ａ），（Ｂ）  実施例２の広角端と望遠端における縦収差図（物体距離：無限遠）
【図６】（Ａ），（Ｂ）  実施例２の広角端と望遠端における縦収差図（物体距離：近距離）
【図７】実施例３のズームレンズの広角端におけるレンズ断面
【図８】（Ａ），（Ｂ）  実施例３の広角端と望遠端における縦収差図（物体距離：無限遠）
【図９】（Ａ），（Ｂ）  実施例３の広角端と望遠端における縦収差図（物体距離：近距離）
【図１０】実施例４のズームレンズの広角端におけるレンズ断面
【図１１】（Ａ），（Ｂ）  実施例４の広角端と望遠端における縦収差図（物体距離：無限遠）
【図１２】（Ａ），（Ｂ）  実施例４の広角端と望遠端における縦収差図（物体距離：近距離）
【図１３】実施例５のズームレンズの広角端におけるレンズ断面
【図１４】（Ａ），（Ｂ）  実施例５の広角端と望遠端における縦収差図（物体距離：無限遠）
【図１５】（Ａ），（Ｂ）  実施例５の広角端と望遠端における縦収差図（物体距離：近距離）
【図１６】実施例６のズームレンズの広角端におけるレンズ断面
【図１７】（Ａ），（Ｂ）  実施例６の広角端と望遠端における縦収差図（物体距離：無限遠）
【図１８】（Ａ），（Ｂ）  実施例６の広角端と望遠端における縦収差図（物体距離：近距離）
【図１９】本発明の撮像装置の要部概略図
【発明を実施するための形態】
【００１７】
以下、本発明のズームレンズ及びそれを有する撮像装置について説明する。本発明のズームレンズは、複数のレンズ群を有し、ズーミングに際して隣り合うレンズ群の間隔が変化する。正の屈折力の部分群Ｌｐ１と、部分群Ｌｐ１の像側に隣接して配置された正の屈折力の部分群Ｌｐ２を有し、部分群Ｌｐ１の物体側に１以上のレンズ群を有している。部分群Ｌｐ２の像側に正の屈折力の部分群Ｌｐ３が隣接して配置されていても良い。
【００１８】
部分群Ｌｐ１の物体側に配置されているレンズ系の合成焦点距離は全ズーム範囲において負であり、無限遠物体から至近物体へのフォーカシングに際して部分群Ｌｐ２は光軸に沿って像側に移動する。
【００１９】
なお、本発明のズームレンズにおけるレンズ群は、ズーミングに際して光軸上の間隔が変化することを基準として分けられるものとし、複数枚のレンズによって構成される場合だけでなく１枚のレンズによって構成される場合も含むものとする。また、本発明のズームレンズにおける部分群は、フォーカシングに際して光軸上の間隔が変化することを基準として分けられるものとし、複数枚のレンズによって構成される場合だけでなく１枚のレンズによって構成される場合も含むものとする。
【００２０】
また、フォーカシングに際してレンズ群の一部が移動する場合は、フォーカシングに際して移動する部分とフォーカシングに際して不動の部分がそれぞれ部分群に該当する。フォーカシングに際してレンズ群の全体が移動する場合は、レンズ群の全体が部分群に該当するものとする。
【００２１】
図１は本発明の実施例１のズームレンズの広角端（短焦点距離端）におけるレンズ断面図である。図２（Ａ），（Ｂ）は本発明の実施例１の無限遠に合焦しているときの広角端、望遠端（長焦点距離端）における縦収差図である。図３（Ａ），（Ｂ）は本発明の実施例１の物体距離１．０ｍ（近距離）の物体に合焦しているときの広角端、望遠端における縦収差図である。但し物体距離は後述する数値実施例をｍｍ単位で表わしたときの像面からの距離である。これは以下全て同じである。実施例１はズーム比３．３１、Ｆナンバー２．８０〜４．３０のズームレンズである。
【００２２】
図４は本発明の実施例２のズームレンズの広角端におけるレンズ断面図である。図５（Ａ），（Ｂ）は本発明の実施例２の無限遠に合焦しているときの広角端、望遠端における縦収差図である。図６（Ａ），（Ｂ）は本発明の実施例２の物体距離１．０ｍ（近距離）の物体に合焦しているときの広角端、望遠端における縦収差図である。実施例２はズーム比３．３１、Ｆナンバー２．８０〜４．１１のズームレンズである。
【００２３】
図７は本発明の実施例３のズームレンズの広角端におけるレンズ断面図である。図８（Ａ），（Ｂ）は本発明の実施例３の無限遠に合焦しているときの広角端、望遠端における縦収差図である。図９（Ａ），（Ｂ）は本発明の実施例３の物体距離１．０ｍ（近距離）の物体に合焦しているときの広角端、望遠端における縦収差図である。実施例３はズーム比３．３１、Ｆナンバー２．８０〜４．３０のズームレンズである。
【００２４】
図１０は本発明の実施例４のズームレンズの広角端におけるレンズ断面図である。図１１（Ａ），（Ｂ）は本発明の実施例４の無限遠に合焦しているときの広角端、望遠端における縦収差図である。図１２（Ａ），（Ｂ）は本発明の実施例４の物体距離１．０ｍ（近距離）の物体に合焦しているときの広角端、望遠端における縦収差図である。実施例４はズーム比３．３１、Ｆナンバー２．８０〜４．１４のズームレンズである。
【００２５】
図１３は本発明の実施例５のズームレンズの広角端におけるレンズ断面図である。図１４（Ａ），（Ｂ）は本発明の実施例５の無限遠に合焦しているときの広角端、望遠端における縦収差図である。図１５（Ａ），（Ｂ）は本発明の実施例５の物体距離１．０ｍ（近距離）の物体に合焦しているときの広角端、望遠端における縦収差図である。実施例５はズーム比２．９２、Ｆナンバー２．８０〜４．５０のズームレンズである。
【００２６】
図１６は本発明の実施例６のズームレンズの広角端におけるレンズ断面図である。図１７（Ａ），（Ｂ）は本発明の実施例６の無限遠に合焦しているときの広角端、望遠端における縦収差図である。図１８（Ａ），（Ｂ）は本発明の実施例６の物体距離１．０ｍ（近距離）の物体に合焦しているときの広角端、望遠端における縦収差図である。実施例６はズーム比１５．８７、Ｆナンバー３．２９〜６．３０のズームレンズである。図１９は本発明のズームレンズを備える撮像装置の要部概略図である。
【００２７】
各実施例のズームレンズはデジタルスチルカメラや銀塩フィルムカメラ等の撮像装置に用いられる撮影レンズ系である。レンズ断面図において、左方が物体側（前方）で、右方が像側（後方）である。尚、各実施例のズームレンズをプロジェクター等の投射レンズとして用いるときは、左方がスクリーン、右方が被投射画像となる。レンズ断面図において、ＯＬはズームレンズである。ｉは物体側からのレンズ群の順番を示し、Ｌｉは第ｉレンズ群である。
【００２８】
Ｌｐ１は正の屈折力の部分群Ｌｐ１である。Ｌｐ２はフォーカシングに際して移動する正の屈折力の部分群Ｌｐ２である。Ｌｐ３は正の屈折力の部分群Ｌｐ３である。
【００２９】
ＳＰは開口絞り（Ｆナンバー決定絞り）である。ＩＰは像面であり、ビデオカメラやデジタルスチルカメラの撮像光学系として使用する際にはＣＣＤセンサやＣＭＯＳセンサなどの固体撮像素子（光電変換素子）の撮像面が置かれている。又、銀塩フィルム用のカメラの撮像光学系として使用する際には、フィルム面に相当する。矢印は広角端から望遠端へのズーミングにおける各レンズ群の移動軌跡を示している。Focusに関する矢印は無限遠から至近距離へのフォーカシングに際してのレンズ群の移動方向を示している。
【００３０】
球面収差図において実線はｄ線（波長５８７．６ｎｍ）、二点鎖線はｇ線（波長４３５．８ｎｍ）、一点鎖線はＣ線（波長６５６．３ｎｍ）、破線はＦ線（波長４８６．１ｎｍ）である。非点収差図において点線（ΔＭ）はメリディオナル像面、実線（ΔＳ）はサジタル像面である。歪曲はｄ線について示している。倍率色収差はｇ線，Ｆ線，Ｃ線によって表わしている。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。
【００３１】
各実施例のズームレンズは、ズーミングに際して移動する複数のレンズ群を有している。また正の屈折力の部分群Ｌｐ１と正の屈折力の部分群Ｌｐ２有している。部分群Ｌｐ１及び部分群Ｌｐ２は物体側から像側へ順に、隣接して配置されている。部分群Ｌｐ１の物体側に配置されているレンズ系の合成焦点距離は全ズーム範囲で負である。また無限遠物体から近距離物体へのフォーカシング（合焦）に際して部分群Ｌｐ２が光軸に沿って像側に移動する。さらに部分群Ｌｐ１の焦点距離をｆｐ１、部分群Ｌｐ２の焦点距離をｆｐ２とする。
【００３２】
このとき、
１．０＜ｆｐ１／ｆｐ２＜１０．０  ・・・（１）
なる条件式を満足する。まず各実施例のズームレンズと、前述の特許文献２，３のズームレンズとのレンズ構成の差異について説明する。
【００３３】
前述した特許文献２のズームレンズ系では正の屈折力の第３レンズ群でフォーカシングを行っており、その物体側のレンズ系の合成焦点距離は全ズーム範囲にわたり負である。このズームレンズ系において、第３レンズ群は物体側のレンズ系の負の屈折力によって発散してきた光束を収斂させる作用を担っている。
【００３４】
したがって、比較的強い正の屈折力を持っており、この第３レンズ群をフォーカシングに際して移動させると収差変動が大きくなる。また、前述した特許文献３の撮影レンズでは正の屈折力の第２レンズ群でフォーカシングを行っており、その物体側のレンズ系の合成焦点距離も全ズーム範囲にわたり負である。この撮影レンズにおいても第２レンズ群は物体側のレンズ系の負の屈折力によって発散してきた光束を収斂させる作用を担っており、比較的強い正の屈折力を有している。したがって、この第２レンズ群をフォーカシングに際して移動させると収差変動が大きくなる。
【００３５】
これに対して、各実施例のズームレンズでは、フォーカシング用の部分群Ｌｐ２の物体側にさらに、正の屈折力の部分群Ｌｐ１を配置している。このような屈折力配置をとることで、フォーカシング用の部分群Ｌｐ２の正の屈折力を弱めて、フォーカシングに際して収差変動を軽減している。さらに、部分群Ｌｐ１によって物体側のレンズ系によって発生した発散性の光束を略平行に近づけている。
【００３６】
次にこの効果について、軸上光束を用いて説明する。フォーカシング用のレンズ群に入射する軸上光束が略平行に近づけば、フォーカシング用のレンズ群が光軸方向に移動してもフォーカシング用のレンズ群を通過する光束の入射高さの変化が少なくなる。光学系で発生する収差の量は光軸からの光束の入射高さに大きく依存しており、その入射高さの変化が少ないことはすなわち、収差の変動が少ないことを意味する。したがって、フォーカシング用のレンズ群に入射する光束の入射高さの変化を少なくすると、フォーカシングに際しての収差変動を軽減することができる。
【００３７】
つまり、各実施例のズームレンズでは物体側から出射する発散性の光束の収斂作用を、部分群Ｌｐ１と部分群Ｌｐ２及びその後続群で分担して担っている。このようにすることで、フォーカシング用の部分群Ｌｐ２の屈折力を強めすぎることなく、フォーカシングに際しての収差変動を軽減している。また、部分群Ｌｐ１によって発散性の光束を略平行に近づけることで、さらにフォーカシングに際しての収差変動を軽減している。
【００３８】
本発明のズームレンズではこのような屈折力配置にすることでフォーカシングに際しての諸収差、特に球面収差の変動を良好に補正している。
【００３９】
次に前述の条件式（１）の技術的意味について説明する。条件式（１）は部分群Ｌｐ１と部分群Ｌｐ２の焦点距離の比である。条件式（１）の下限を超えると、相対的に部分群Ｌｐ２の屈折力が弱くなる。そうすると、フォーカシングに際して部分群Ｌｐ２の移動量が大きくなり、その移動スペースを確保する必要が出てくるため、ズームレンズが大型化してくる。また条件式（１）の上限を超えると、相対的に部分群Ｌｐ１の屈折力が弱くなる。
【００４０】
そうすると前述のように部分群Ｌｐ２の屈折力が強くなったことと、部分群Ｌｐ１での光束の収斂作用も少なくなることの両方の作用で、フォーカシングに際しての収差変動が大きくなり好ましくない。以上のように、条件式（１）はズームレンズを小型に保ちつつ、フォーカシングに際しての収差変動を軽減している。
【００４１】
更に好ましくは、条件式（１）の数値範囲を次の如く設定するのが良い。
１．２＜ｆｐ１／ｆｐ２＜６．０  ・・・（１ａ）
更に好ましくは、条件式（１ａ）の数値範囲を次の如く設定するのが良い。
１．５＜ｆｐ１／ｆｐ２＜５．０  ・・・（１ｂ）
以上のように各実施例によれば全系が小型でありながら、高速なフォーカシングが容易で、しかもフォーカシングに際しての収差変動が少なく、全物体距離にわたり高性能なズームレンズが得られる。
【００４２】
また、各実施例のズームレンズはフォーカシング用の部分群Ｌｐ２よりも物体側のレンズ系の合成焦点距離が全ズーム範囲にわたり負となっている。部分群Ｌｐ２よりも物体側のレンズ系の合成焦点距離を全ズーム範囲にわたり負とすることで、部分群Ｌｐ２自体の横倍率を比較的大きく設定することができ、その分フォーカス敏感度を上げやすくなるため好ましい。
【００４３】
また、各実施例のズームレンズはフォーカシング用の部分群Ｌｐ２を２枚以下のレンズより構成するのが良い。このように構成することで部分群Ｌｐ２自体の軽量化が容易となり高速なフォーカシングを容易としている。さらに好ましくは、部分群Ｌｐ２を像面側に凸面を向けた１枚の正レンズより構成するのが良い。このように構成することでさらなる軽量化が容易となり、その結果、高速なフォーカシングが容易となる。
【００４４】
各実施例において更に好ましくは次の条件式のうち１以上を満足するのが良い。望遠端における部分群Ｌｐ１の横倍率をβＬｐ１ｔとする。広角端における部分群Ｌｐ１の横倍率をβＬｐ１ｗとする。広角端における全系の焦点距離をｆｗとする。部分群Ｌｐ１の物体側に配置されているレンズ系の広角端における合成焦点距離をｆｆ１、部分群Ｌｐ２の物体側に配置されているレンズ系の広角端における合成焦点距離をｆｆ２とする。このとき、次の条件式のうち１以上を満足するのが良い。
【００４５】
１．０５＜｜βＬｐ１ｔ｜          ・・・（２）
１．１０＜｜βＬｐ１ｗ｜          ・・・（３）
２．０＜ｆｐ１／ｆｗ＜３０．０    ・・・（４）
１．０＜ｆｐ２／ｆｗ＜１５．０    ・・・（５）
−４．０＜ｆｆ１／ｆｗ＜−０．５  ・・・（６）
−６．０＜ｆｆ２／ｆｗ＜−０．５  ・・・（７）
次に前述の各条件式の技術的意味について説明する。
【００４６】
条件式（２）は部分群Ｌｐ１の望遠端における横倍率βを大きくして、部分群Ｌｐ１を出た軸上光束が略平行に近づくようにするためのものである。部分群Ｌｐ１を出た軸上光束が略平行に近づけば、前述のようにフォーカシング用の部分群Ｌｐ２を通過する光束の入射高さが変わりにくくなり、フォーカシングに際しての球面収差の変動を軽減することができる。条件式（２）の下限を超えると、前述の効果が薄まり、フォーカシングに際しての球面収差の変動が大きくなるため好ましくない。
【００４７】
以上のように条件式（２）を満足することによりフォーカシングに際しての望遠端において球面収差の変動を軽減している。
【００４８】
更に好ましくは、条件式（２）の数値範囲を次の如く設定するのが良い。
１．０５＜｜βＬｐ１ｔ｜＜４．００  ・・・（２ａ）
更に好ましくは、条件式（２ａ）の数値範囲を次の如く設定するのが良い。
１．１０＜｜βＬｐ１ｔ｜＜２．００  ・・・（２ｂ）
【００４９】
条件式（３）は条件式（２）と同様に広角端側においてフォーカシングに際しての球面収差の変動を軽減するためのものである。条件式（３）の下限を超えると、前述の効果が薄まり、フォーカシングに際しての球面収差の変動が大きくなるため好ましくない。更に好ましくは、条件式（３）の数値範囲を次の如く設定するのが良い。
１．１０＜｜βＬｐ１ｗ｜＜４．００  ・・・（３ａ）
更に好ましくは、条件式（３ａ）の数値範囲を次の如く設定するのが良い。
１．１５＜｜βＬｐ１ｗ｜＜２．００  ・・・（３ｂ）
【００５０】
条件式（４）は部分群Ｌｐ１の焦点距離に関し、条件式（５）は部分群Ｌｐ２の焦点距離に関し、各々広角端における全系の焦点距離で規格化したものである。条件式（４）の下限を超える、もしくは条件式（５）の上限を超えると相対的に部分群Ｌｐ１の屈折力が強くなり、部分群Ｌｐ２の屈折力が弱くなる。そうすると、フォーカシングに際しての部分群Ｌｐ２の移動量が大きくなり、その移動スペースを確保するためにズームレンズ全系が大型化するため好ましくない。
【００５１】
条件式（４）の上限を超える、もしくは条件式（５）の下限を超えると、相対的に部分群Ｌｐ１の屈折力が弱くなり、部分群Ｌｐ２の屈折力が強くなる。そうすると、部分群Ｌｐ２の屈折力が強くなったことと、部分群Ｌｐ１での光束の収斂作用が少なくなることの両方の作用で、フォーカシングに際しての収差変動が大きくなるため好ましくない。
【００５２】
以上のように条件式（４），（５）を満足することにより、ズームレンズ全系を小型に保ちつつ、フォーカシングに際しての収差変動を軽減している。更に好ましくは、条件式（４），（５）の数値範囲を次の如く設定するのが良い。
【００５３】
３．０＜ｆｐ１／ｆｗ＜２０．０  ・・・（４ａ）
１．５＜ｆｐ２／ｆｗ＜１０．０  ・・・（５ａ）
更に好ましくは、条件式（４ａ），（５ａ）の数値範囲を次の如く設定するのが良い。
５．０＜ｆｐ１／ｆｗ＜１６．０  ・・・（４ｂ）
２．０＜ｆｐ２／ｆｗ＜７．０    ・・・（５ｂ）
【００５４】
また、各実施例のズームレンズはフォーカシング用の部分群Ｌｐ２の像側に正の屈折力の部分群Ｌｐ３が隣接して配置するのが良い。このような屈折力配置とすることで、物体側のレンズ系で発生した発散性の光束を、部分群Ｌｐ１、部分群Ｌｐ２，部分群Ｌｐ３の３つの正の屈折力を有する群で分担して収斂させることができる。
【００５５】
この結果、部分群Ｌｐ１及び部分群Ｌｐ２の屈折力を適切に設定することが容易となり、ズームレンズ全系を小型に保ちつつフォーカシングに際しての収差変動を軽減することができる。また、部分群Ｌｐ１、部分群Ｌｐ２、部分群Ｌｐ３のそれぞれの群の偏芯敏感度も低めに設定できるため好ましい。
【００５６】
条件式（６）は部分群Ｌｐ１よりも物体側のレンズ系の合成焦点距離に関し、条件式（７）は部分群Ｌｐ２よりも物体側のレンズ系の合成焦点距離に関し、いずれも広角端における全系の焦点距離で規格化したものである。
【００５７】
条件式（６）又は条件式（７）の下限を超えて、物体側のレンズ系の負の屈折力が弱くなると（負の屈折力の絶対値が小さくなると）、ズームレンズ全系が大型化し易いため好ましくない。条件式（６）又は条件式（７）の上限を超えて、物体側のレンズ系の負の屈折力が強くなりすぎると（負の屈折力の絶対値が大きくなると）、基準状態（無限遠物体にフォーカスしているとき）において球面収差をはじめ諸収差を良好に補正することが困難となる。
【００５８】
以上のように、条件式（６），（７）を満足することにより、ズームレンズ全系を小型に保ちつつ光学性能を良好に保っている。
【００５９】
更に好ましくは、条件式（６）（７）の数値範囲を次の如く設定するのが良い。
−３．０＜ｆｆ１／ｆｗ＜−０．６  ・・・（６ａ）
−５．０＜ｆｆ２／ｆｗ＜−０．７  ・・・（７ａ）
更に好ましくは、条件式（６ａ），（７ａ）の数値範囲を次の如く設定するのが良い。
−２．０＜ｆｆ１／ｆｗ＜−０．８  ・・・（６ａ）
−３．０＜ｆｆ２／ｆｗ＜−１．０  ・・・（７ａ）
次に各実施例のズームレンズのレンズ構成について説明する。
【００６０】
以下に示す数値データは後述する各数値実施例の単位をｍｍで表したときである。このことは以下全て同じである。
【００６１】
［実施例１］
図１の実施例１のズームレンズＯＬについて説明する。実施例１のズームレンズＯＬは焦点距離１５．４ｍｍ〜５１．０ｍｍ（撮影画角８３．１°〜３０．０°）である。実施例１のズームレンズＯＬは物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成されている。ズーミングに際して隣り合うレンズ群の間隔が変化する。
【００６２】
実施例１のズームレンズＯＬにおいて第３レンズ群Ｌ３は部分群として物体側から像側へ順に、正の屈折力の部分群Ｌｐ１、フォーカシングに際して光軸に沿って移動する正の屈折力の部分群Ｌｐ２、正の屈折力の部分群Ｌｐ３を有している。部分群Ｌｐ２は像側に凸面を向けた１枚の正レンズからなっており、その焦点距離ｆｐ２は４９．２ｍｍである。また部分群Ｌｐ１の焦点距離ｆｐ１は８８．２ｍｍである。また、部分群Ｌｐ１より物体側のレンズ系（第１レンズ群Ｌ１と第２レンズ群Ｌ２）の合成焦点距離は全ズーム範囲で負（広角端において−１３．６４ｍｍ）となっている。
【００６３】
実施例１において条件式（１）で示される部分群Ｌｐ１と部分群Ｌｐ２の焦点距離の比は１．７９である。実施例１のズームレンズでは上記のように、フォーカシング用の部分群Ｌｐ２よりも物体側に正の屈折力の部分群Ｌｐ１を配置することで、部分群Ｌｐ２の正の屈折力を適切に設定しつつ、部分群Ｌｐ２に入射する軸上光束を略平行に近づけている。
【００６４】
その結果、ズームレンズ全系を小型に保ちつつ、無限遠物体合焦時ならびに近距離物体合焦時の収差変動、特に球面収差の変動を良好に補正している。また、フォーカシング用の部分群Ｌｐ２を１枚のレンズで構成して軽量化を図り、高速なフォーカシングを容易にしている。
【００６５】
［実施例２］
図４の実施例２のズームレンズＯＬについて説明する。実施例２のズームレンズＯＬは焦点距離１５．４ｍｍ〜５１．０ｍｍ（撮影画角８３．１°〜３０．０°）である。実施例２のズームレンズＯＬはレンズ群の数、各レンズ群の屈折力、ズーミングに際しての移動条件等のズームタイプは実施例１と同じである。また第３レンズ群Ｌ３のレンズ構成も実施例１と同じである。
【００６６】
部分群Ｌｐ２の焦点距離ｆｐ２は４２．１ｍｍである。また部分群Ｌｐ１の焦点距離ｆｐ１は２０３．６ｍｍである。また、部分群Ｌｐ１より物体側のレンズ系の合成焦点距離は全ズーム範囲で負（広角端において−１４．８４ｍｍ）となっている。実施例２において条件式（１）で示される部分群Ｌｐ１と部分群Ｌｐ２の焦点距離の比は４．８４である。第３レンズ群Ｌ３の構成及びそれらの構成より得られる効果は実施例１と同じである。
【００６７】
［実施例３］
図７の実施例３のズームレンズＯＬについて説明する。実施例３のズームレンズＯＬは焦点距離１５．４ｍｍ〜５１．０ｍｍ（撮影画角８３．１°〜３０．０°）である。実施例３のズームレンズＯＬは物体側から像側へ順に、次のとおりである。正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５、負の屈折力の第６レンズ群Ｌ６、正の屈折力の第７レンズ群Ｌ７より構成されている。
【００６８】
ズーミングに際して隣り合うレンズ群の間隔が変化する。実施例３のズームレンズＯＬにおいて第３レンズ群Ｌ３が正の屈折力の部分群Ｌｐ１に相当する。第４レンズ群Ｌ４がフォーカシングに際して光軸に沿って移動する正の屈折力の部分群Ｌｐ２に相当する。第５レンズ群Ｌ５が正の屈折力の部分群Ｌｐ３である。部分群Ｌｐ２は像側に凸面を向けた１枚の正レンズからなっており、その焦点距離ｆｐ２は４９．８ｍｍである。また部分群Ｌｐ１の焦点距離ｆｐ１は８８．９ｍｍである。また、部分群Ｌｐ１より物体側のレンズ系の合成焦点距離は全ズーム範囲で負（広角端では−１３．８４ｍｍ）となっている。
【００６９】
実施例３において条件式（１）で示される部分群Ｌｐ１と部分群Ｌｐ２の焦点距離の比は１．７９である。実施例３のズームレンズでは上記のように、フォーカシング用の部分群Ｌｐ２の物体側に正の屈折力の部分群Ｌｐ１を配置することで、部分群Ｌｐ２の屈折力を適切に設定しつつ、部分群Ｌｐ２に入射する軸上光束を略平行に近づけている。
【００７０】
その結果、ズームレンズ全系を小型に保ちつつ、無限遠物体合焦時ならびに近距離物体合焦時の収差変動、特に球面収差の変動を良好に補正している。また、フォーカシング用の部分群Ｌｐ２を１枚のレンズで構成して、軽量化を図り高速のフォーカシングを容易にしている。
【００７１】
［実施例４］
図１０の実施例４のズームレンズＯＬについて説明する。実施例４のズームレンズＯＬは焦点距離１５．４ｍｍ〜５１．０ｍｍ（撮影画角８３．１°〜３０．０°）である。実施例４のズームレンズＯＬのズームタイプは実施例３と同じである。
【００７２】
実施例４のズームレンズＯＬにおいて第３レンズ群Ｌ３が正の屈折力の部分群Ｌｐ１、第４レンズ群Ｌ４がフォーカシングに際して光軸に沿って移動する正の屈折力の部分群Ｌｐ２、第５レンズ群Ｌ５が正の屈折力の部分群Ｌｐ３である。部分群Ｌｐ２は像側に凸面を向けた１枚の正レンズからなっており、その焦点距離ｆｐ２は４３．８ｍｍである。また部分群Ｌｐ１の焦点距離ｆｐ１は１６６．７ｍｍである。また、部分群Ｌｐ１より物体側のレンズ系の合成焦点距離は全ズーム範囲で負（広角端では−１５．０３ｍｍ）となっている。
【００７３】
実施例４において条件式（１）で示される部分群Ｌｐ１と部分群Ｌｐ２の焦点距離の比は３．８４である。実施例４のズームレンズでは上記のように、フォーカシング用の部分群Ｌｐ２よりも物体側に正の屈折力の部分群Ｌｐ１を配置することで、部分群Ｌｐ２の屈折力を適切に設定しつつ、部分群Ｌｐ２に入射する軸上光束を略平行に近づけている。
【００７４】
その結果、ズームレンズ全系を小型に保ちつつ、無限遠物体合焦時ならびに近距離物体合焦時の収差変動、特に球面収差の変動を良好に補正している。また、フォーカシング用の部分群Ｌｐ２を１枚のレンズで構成されて軽量化を図り、高速のフォーカシングを容易にしている。
【００７５】
［実施例５］
図１３の実施例５のズームレンズＯＬについて説明する。実施例５のズームレンズＯＬは焦点距離１５．４ｍｍ〜４５．０ｍｍ（撮影画角８３．１°〜３３．８°）である。ズームレンズＯＬは物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４より構成されている。
【００７６】
ズーミングに際して隣り合うレンズ群の間隔が変化する。実施例５のズームレンズＯＬにおいて第２レンズ群Ｌ２は部分群として物体側から像側へ順に、正の屈折力の部分群Ｌｐ１、フォーカシングに際して光軸に沿って移動する正の屈折力の部分群Ｌｐ２、正の屈折力の部分群Ｌｐ３を有している。部分群Ｌｐ２は像側に凸面を向けた１枚の正レンズからなっており、その焦点距離ｆｐ２は９２．９ｍｍである。また部分群Ｌｐ１の焦点距離ｆｐ１は２３０．０ｍｍである。また、部分群Ｌｐ１より物体側のレンズ系の合成焦点距離は全ズーム範囲で負（広角端では−２５．４４ｍｍ）となっている。
【００７７】
実施例５において条件式（１）で示される部分群Ｌｐ１と部分群Ｌｐ２の焦点距離の比は２．４７である。実施例５のズームレンズでは上記のように、フォーカシング用の部分群Ｌｐ２よりも物体側に正の屈折力の部分群Ｌｐ１を配置することで、部分群Ｌｐ２の屈折力を適切に設定しつつ、部分群Ｌｐ２に入射する軸上光束を略平行に近づけている。
【００７８】
その結果、ズームレンズ全系を小型に保ちつつ、無限遠物体合焦時ならびに近距離物体合焦時の収差変動、特に球面収差の変動を良好に補正している。また、フォーカシング用の部分群Ｌｐ２を１枚のレンズで構成して、軽量化を図り高速なフォーカシングを可能にしている。
【００７９】
［実施例６］
図１６の実施例６のズームレンズＯＬについて説明する。実施例６のズームレンズＯＬは焦点距離１８．４ｍｍ〜２９２．０ｍｍ（撮影画角７３．２°〜５．４°）である。実施例６のズームレンズＯＬのズームタイプは実施例３と同じである。
【００８０】
実施例６のズームレンズＯＬにおいて第３レンズ群Ｌ３が正の屈折力の部分群Ｌｐ１、第４レンズ群Ｌ４がフォーカシングに際して光軸に沿って移動する正の屈折力の部分群Ｌｐ２、第５レンズ群Ｌ５が正の屈折力の部分群Ｌｐ３に相当する。部分群Ｌｐ２は像側に凸面を向けた１枚の正レンズからなっており、その焦点距離ｆｐ２は６７．２ｍｍである。また部分群Ｌｐ１の焦点距離ｆｐ１は１２６．０ｍｍである。また、部分群Ｌｐ１より物体側のレンズ系の合成焦点距離は全ズーム範囲で負（広角端では−１８．３４ｍｍ）となっている。
【００８１】
実施例６において条件式（１）で示される部分群Ｌｐ１と部分群Ｌｐ２の焦点距離の比は１．８８である。実施例６のズームレンズでは上記のように、フォーカシング用の部分群Ｌｐ２よりも物体側に正の屈折力の部分群Ｌｐ１を配置することで、部分群Ｌｐ２の屈折力を適切に設定しつつ、部分群Ｌｐ２に入射する軸上光束を略平行に近づけている。
【００８２】
その結果、ズームレンズ全系を小型に保ちつつ、無限遠物体合焦時ならびに近距離物体合焦時の収差変動、特に球面収差の変動を良好に補正している。また、フォーカシング用の部分群Ｌｐ２を１枚のレンズで構成して軽量化を図り、高速のフォーカシングを容易にしている。
【００８３】
図１９は一眼レフカメラの要部概略図である。図１９において、１０は実施例１乃至６のいずれか１つのズームレンズ１を有する撮像光学系である。ズームレンズ１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。
【００８４】
観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像光学系１０によって像側形成される。このように本発明のズームレンズを一眼レフカメラ交換レンズ等の撮像装置に適用することにより、高い光学性能を有する光学機器を実現している。
【００８５】
この他本発明のズームレンズはクイックリターンミラーのないミラーレンズの一眼レフカメラにも同様に適用することができる。尚、本発明のズームレンズは、デジタルカメラ・ビデオカメラ・銀塩フィルム用カメラ等の撮像装置の他に望遠鏡、双眼鏡、複写機、プロジェクター等の光学機器にも適用できる。
【００８６】
以上、本発明の好ましい実施形態について説明したが、本発明はこれらの実施形態に限定されず、その要旨の範囲内で種々の変形及び変更が可能である。
【００８７】
以下、数値実施例１乃至６のズームレンズに対応する具体的な数値データを示す。ｉは物体から数えた順序を示す。面番号ｉは物体側から順に数えている。Ｒｉは曲率半径(mm)、Ｄｉは第ｉ番目と第ｉ＋１番目の面間隔(mm)である。Ｎｄｉとνｄｉはそれぞれｄ線に対する第ｉ面と第（ｉ＋１）面との間の媒質の屈折率、アッベ数を表す。またＢＦはバックフォーカスであり、最終レンズから像面までの距離である。レンズ全長は第１レンズ面から像面までの距離を表す。ωは半画角である。
【００８８】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ・・・を各次数の非球面係数とするとき、
【００８９】
【数１】
2015152765.tif 000003
【００９０】
で表す。なお、各非球面係数における「Ｅ±ＸＸ」は「×１０±ＸＸ」を意味している。前述の各条件式に関係した数値を表１に示す。表２に前述の各条件式に相当する数値を示す。
【００９１】
[数値実施例１]
単位 mm                              
面番号   R         D        Nd        νd     光線有効径     
1    482.978     1.60     1.84666     23.9     53.21     
2     71.668     6.03     1.77250     49.6     49.52     
3  -1392.664     0.15                          48.57     
4     36.831     5.32     1.77250     49.6     44.00     
5     71.929     (可変)                        42.77     
6     31.760     1.10     1.88300     40.8     24.87     
7     10.149     6.49                          17.74     
8*   -36.364     0.80     1.85135     40.1     17.52     
9*    22.658     0.15                          16.76     
10    23.269     4.97     1.71736     29.5     16.78     
11   -23.348     0.88                          16.22     
12   -16.482     0.80     1.88300     40.8     15.78     
13    71.958     2.48     1.85478     24.8     15.82     
14   -38.994     (可変)                        15.84     
15  4626.732     1.67     1.48749     70.2     14.35     
16   -43.406     0.80                          14.68     
17    72.648     2.07     1.66672     48.3     15.22     
18   -59.215     4.52                          15.32     
19(絞り) ∞      0.89                           15.21     
20    35.975     4.09     1.49700     81.5     15.17     
21   -18.955     0.80     1.85478     24.8     14.91     
22   -32.041     (可変)                         15.04     
23   -35.551     3.72     1.84666     23.9     13.40     
24   -15.868     0.76     1.80400     46.6     13.35     
25    64.771     (可変)                         13.26     
26*   97.914     3.07     1.58313     59.4     17.84     
27   -30.567     0.15                          18.41     
28   173.729     0.80     1.85478     24.8     19.01     
29    23.812     5.03     1.59522     67.7     19.32     
30   -44.262     (可変)                        19.87     
像面    ∞                         
【００９２】
非球面
データ                              
円錐定数   4次の係数   6次の係数   8次の係数  10次の係数  12次の係数
K          B           C           D           E           F
第8面
0.0000E+00  7.8261E-06  1.3747E-07 -4.9234E-09  3.2813E-11 0.0000E+00
第9面
0.0000E+00 -3.2909E-05  1.3147E-07 -5.9252E-09  3.7154E-11 0.0000E+00
第26面
0.0000E+00 -1.3041E-05  2.6488E-08 -5.1484E-11 -3.7427E-13 0.0000E+00
【００９３】
各種データ      広角端     中間      望遠端               
焦点距離        15.40      20.46     51.00                
Fno              2.80       3.00      4.30                
ω（度）        41.57      33.73     14.99                
像高            13.66      13.66     13.66                
レンズ全長     119.65     123.99    149.53                
BF              35.93      38.66     50.56                
入射瞳位置      23.15      32.38     83.52                
射出瞳位置     -57.87     -48.39    -36.10                
前側主点位置    36.02      48.03    104.50                
後側主点位置    20.53      18.20     -0.44                
【００９４】
可変間隔                              
面番号         広角端      中間     望遠端               
5             1.00        6.55     25.74                
14            11.83        8.34      1.50                
22             1.70        4.31     11.60                
25            10.06        7.01      1.00                
30            35.93       38.66     50.56                
【００９５】
群データ                              
群   始面  焦点距離   レンズ構成長  前側主点位置  後側主点位置     
1     1     82.11       13.11        1.44          -5.81      
2     6    -10.36       17.67        2.60         -10.26      
3    15     21.15       14.82        5.73          -7.02      
4    23    -29.31        4.49        0.73          -1.67      
5    26     31.92        9.05        3.04          -2.81      
【００９６】
単レンズデータ                         
レンズ     始面     焦点距離                    
1          1      -99.580                    
2          2       88.390                    
3          4       91.650                    
4          6      -17.300                    
5          8      -16.300                    
6         10       17.000                    
7         12      -15.120                    
8         13       29.890                    
9         15       88.220                    
10         17       49.240                    
11         20       25.610                    
12         21      -55.870                    
13         23       31.150                    
14         24      -15.790                    
15         26       40.300                    
16         28      -32.360                    
17         29       26.750                    
【００９７】
[数値実施例２]
単位 mm                              
面番号   R         D        Nd        νd     光線有効径     
1    423.598     1.60     1.84666     23.9     53.25     
2     72.037     6.19     1.77250     49.6     50.90     
3  -6679.192     0.15                          50.42     
4     41.912     5.72     1.77250     49.6     46.21     
5    100.351     (可変)                        45.03     
6*    72.877     1.10     1.85135     40.1     26.41     
7     12.171     6.08                          19.18     
8    -38.888     0.80     1.88300     40.8     18.89     
9     28.343     0.15                          17.89     
10    23.619     5.23     1.71736     29.5     17.90     
11   -25.641     0.92                          17.27     
12   -17.876     0.80     1.88300     40.8     16.79     
13    34.982     3.20     1.85478     24.8     16.72     
14   -44.204     (可変)                        16.71     
15   202.889     1.87     1.60311     60.6     14.71     
16  -310.096     0.50                          15.09     
17    61.843     2.21     1.69680     55.5     15.47     
18   -54.972     3.87                          15.59     
19(絞り)  ∞     0.75                           15.45     
20    31.813     3.97     1.49700     81.5     15.39     
21   -22.163     0.80     2.00069     25.5     15.08     
22   -40.365     (可変)                        15.14     
23   -38.046     3.06     1.90366     31.3     13.70     
24   -12.466     0.76     1.83481     42.7     13.73     
25   174.226     (可変)                        13.65     
26* -158.302     1.97     1.58313     59.4     16.31     
27   -56.993     0.15                          17.12     
28   136.986     0.80     1.85478     24.8     17.79     
29    29.060     5.21     1.59522     67.7     18.31     
30   -26.277     (可変)                         19.13     
像面 ∞                         
【００９８】
非球面
データ                              
円錐定数   4次の係数   6次の係数   8次の係数  10次の係数  12次の係数
K          B           C           D           E           F
第6面
0.0000E+00  1.9532E-05 -7.0090E-08  4.5847E-10 -2.0703E-12 4.6572E-15
第26面
0.0000E+00 -2.2536E-05  2.9149E-08 -7.7513E-10  5.0708E-12 0.0000E+00
【００９９】
各種データ      広角端     中間       望遠端               
焦点距離        15.40     20.00      51.00                
Fno              2.80      3.00       4.11                
ω（度）        41.57     34.33      14.99                
像高            13.66     13.66      13.66                
レンズ全長     122.23    124.98     152.23                
BF              35.50     39.72      55.29                
入射瞳位置      24.18     31.06      85.88                
射出瞳位置     -55.02    -45.81     -35.32                
前側主点位置    36.96     46.38     108.17                
後側主点位置    20.10     19.72       4.29                
【０１００】
可変間隔                              
面番号    広角端     中間     望遠端               
5          1.32      5.63     26.46                
14        14.74     10.13      1.50                
22         2.71      4.75     10.11                
25        10.08      6.88      1.00                
30        35.50     39.72     55.29                
【０１０１】
群データ                              
群    始面  焦点距離  レンズ構成長  前側主点位置  後側主点位置     
1      1     81.67      13.66      2.06         -5.55      
2      6    -11.17      18.28      2.17        -11.00      
3     15     23.33      13.97      4.71         -6.50      
4     23    -43.43       3.82      0.03         -1.98      
5     26     38.08       8.14      4.57         -0.56      
【０１０２】
単レンズデータ                         
レンズ     始面     焦点距離                    
1           1     -102.730                    
2           2       92.290                    
3           4       89.360                    
4           6      -17.310                    
5           8      -18.460                    
6          10       17.930                    
7          12      -13.300                    
8          13       23.280                    
9          15      203.630                    
10         17       42.090                    
11         20       26.940                    
12         21      -50.220                    
13         23       19.410                    
14         24      -13.910                    
15         26      151.630                    
16         28      -43.300                    
17         29       24.030                    
【０１０３】
[数値実施例３]
単位 mm                              
面番号   R         D        Nd        νd     光線有効径     
1    454.147     1.60     1.84666     23.9     53.20     
2     69.130     6.19     1.77250     49.6     49.44     
3  -1518.967     0.15                          48.45     
4     36.349     5.21     1.77250     49.6     43.09     
5     71.221     (可変)                        41.87     
6     32.401     1.10     1.88300     40.8     24.89     
7     10.216     6.47                          17.78     
8*   -36.665     0.80     1.85135     40.1     17.53     
9*    22.837     0.16                          16.76     
10    23.456     5.06     1.71736     29.5     16.77     
11   -23.422     0.89                          16.18     
12   -16.412     0.80     1.88300     40.8     15.73     
13    83.694     2.54     1.85478     24.8     15.77     
14   -38.102     (可変)                        15.79     
15 -2864.166     1.64     1.48749     70.2     14.13     
16   -42.698     (可変)                        14.45     
17    74.351     2.08     1.66672     48.3     15.38     
18   -59.215     (可変)                        15.49     
19(絞り)  ∞     0.87                          15.39     
20    36.280     4.43     1.49700     81.5     15.35     
21   -18.962     0.80     1.85478     24.8     15.03     
22   -31.970     (可変)                        15.08     
23   -35.606     3.01     1.84666     23.9     13.33     
24   -15.641     0.76     1.80400     46.6     13.28     
25    64.483     (可変)                        13.17     
26*   98.271     3.13     1.58313     59.4     18.17     
27   -30.654     0.15                          18.74     
28   174.819     0.80     1.85478     24.8     19.34     
29    23.473     5.21     1.59522     67.7     19.65     
30   -44.209     (可変)                         20.21     
像面     ∞                         
【０１０４】
非球面
データ                              
円錐定数   4次の係数   6次の係数   8次の係数  10次の係数  12次の係数
K          B           C           D           E           F
第8面
0.0000E+00  5.7939E-06  1.7263E-07 -5.0882E-09  3.3173E-11 0.0000E+00
第9面
0.0000E+00 -3.4964E-05  1.8797E-07 -6.4153E-09  3.9135E-11 0.0000E+00
第26面
0.0000E+00 -1.3274E-05  3.6083E-08 -1.8284E-10  2.8850E-13 0.0000E+00
【０１０５】
各種データ     広角端      中間       望遠端               
焦点距離        15.40      20.64      51.00                
Fno              2.80       3.00       4.30                
ω（度）        41.57      33.49      14.99                
像高            13.66      13.66      13.66                
レンズ全長     119.90     124.20     148.63                
BF              35.50      38.23      49.86                
入射瞳位置      23.18      32.77      81.71                
射出瞳位置     -61.45     -50.93     -36.09                
前側主点位置    36.13      48.64     102.45                
後側主点位置    20.10      17.59      -1.14                
【０１０６】
可変間隔                              
面番号  広角端    中間     望遠端               
5       1.00      6.73     25.02                
14     11.56      7.82      1.50                
16      2.06      2.13      0.80                
18      3.35      3.27      4.60                
22      2.18      4.84     11.99                
25     10.40      7.31      1.00                
30     35.50     38.23     49.86                
【０１０７】
群データ                              
群    始面 焦点距離  レンズ構成長 前側主点位置 後側主点位置     
1      1     80.82     13.15        1.57         -5.70      
2      6    -10.47     17.82        2.54        -10.47      
3     15     88.90      1.64        1.12          0.02      
4     17     49.75      2.08        0.70         -0.56      
5     19     46.95      6.10        2.54         -1.81      
6     23    -29.41      3.77        0.62         -1.40      
7     26     32.20      9.29        3.13         -2.89      
【０１０８】
単レンズデータ                              
レンズ     始面   焦点距離                    
1          1     -96.490                    
2          2      85.740                    
3          4      90.230                    
4          6     -17.300                    
5          8     -16.430                    
6         10      17.110                    
7         12     -15.480                    
8         13      30.930                    
9         15      88.900                    
10        17      49.750                    
11        20      25.740                    
12        21     -56.110                    
13        23      30.810                    
14        24     -15.590                    
15        26      40.430                    
16        28     -31.800                    
17        29      26.520                    
【０１０９】
[数値実施例４]
単位 mm                              
面番号   R         D        Nd        νd     光線有効径     
1    347.637     1.60     1.84666     23.9     52.96     
2     69.242     5.74     1.77250     49.6     48.98     
3   2752.474     0.15                          48.53     
4     43.073     5.66     1.77250     49.6     44.81     
5    106.101     (可変)                        43.44     
6*    69.081     1.10     1.85135     40.1     26.26     
7     12.290     5.98                          19.15     
8    -38.888     0.80     1.88300     40.8     18.83     
9     28.343     0.15                          17.74     
10    23.883     5.00     1.71736     29.5     17.72     
11   -27.151     1.05                          17.06     
12   -17.464     0.80     1.88300     40.8     16.59     
13    38.585     3.16     1.85478     24.8     16.56     
14   -39.422     (可変)                        16.56     
15   210.267     1.92     1.60311     60.6     14.37     
16  -192.057     (可変)                        14.76     
17    64.744     2.17     1.69680     55.5     15.45     
18   -55.924     (可変)                        15.56     
19(絞り)   ∞     0.90                         15.44     
20    32.336     4.07     1.49700     81.5     15.38     
21   -22.418     0.80     2.00069     25.5     15.04     
22   -40.238     (可変)                        15.10     
23   -36.749     2.97     1.90366     31.3     13.70     
24   -12.238     0.76     1.83481     42.7     13.74     
25   182.277     (可変)                        13.66     
26* -160.953     1.95     1.58313     59.4     16.47     
27   -57.818     0.15                          17.28     
28   132.067     0.80     1.85478     24.8     17.96     
29    28.303     5.37     1.59522     67.7     18.48     
30   -26.136     (可変)                        19.32     
像面     ∞                         
【０１１０】
非球面
データ                              
円錐定数   4次の係数   6次の係数   8次の係数  10次の係数  12次の係数
K          B           C           D           E           F
第6面
0.0000E+00  1.9037E-05 -5.9362E-08  3.8915E-10 -1.7668E-12 4.4706E-15
第26面
0.0000E+00 -2.1803E-05  1.4645E-08 -5.5371E-10  4.0638E-12 0.0000E+00
【０１１１】
各種データ      広角端     中間      望遠端               
焦点距離         15.40     20.00      51.00                
Fno               2.80      3.00       4.14                
ω（度）         41.57     34.33      14.99                
像高             13.66     13.66      13.66                
レンズ全長      121.12    123.42     151.12                
BF               35.50     39.78      55.98                
入射瞳位置       23.77     29.74      82.16                
射出瞳位置      -57.37    -48.32     -34.75                
前側主点位置     36.62     45.20     104.49                
後側主点位置     20.10     19.78       4.98                
【０１１２】
可変間隔                              
面番号    広角端     中間     望遠端               
5          1.25      5.14     25.79                
14        14.22      9.37      1.50                
16         1.40      1.47      0.15                
18         2.78      2.72      4.04                
22         2.43      4.54      9.61                
25        10.48      7.35      1.00                
30        35.50     39.78     55.98                
【０１１３】
群データ                              
群    始面  焦点距離  レンズ構成長  前側主点位置  後側主点位置     
1      1     82.58     13.15        1.80         -5.53      
2      6    -11.34     18.04        2.17        -10.95      
3     15    166.73      1.92        0.63         -0.57      
4     17     43.38      2.17        0.69         -0.60      
5     19     56.39      5.76        1.86         -2.22      
6     23    -42.48      3.73        0.01         -1.96      
7     26     38.05      8.27        4.65         -0.57      
【０１１４】
単レンズデータ                              
レンズ     始面     焦点距離                    
1          1      -102.390                    
2          2        91.860                    
3          4        90.330                    
4          6       -17.720                    
5          8       -18.460                    
6         10        18.470                    
7         12       -13.530                    
8         13        23.250                    
9         15       166.730                    
10        17        43.380                    
11        20        27.310                    
12        21       -51.750                    
13        23        19.200                    
14        24       -13.710                    
15        26       153.670                    
16        28       -42.290                    
17        29        23.700                    
【０１１５】
[数値実施例５]
単位 mm                              
面番号   R         D        Nd        νd     光線有効径     
1     35.910     1.80     1.83481     42.7     38.27     
2     15.932     10.94                         29.18     
3*   -90.602     1.50     1.58313     59.4     29.08     
4*    23.441     2.77                          28.84     
5     46.525     3.79     1.84666     23.9     29.22     
6   -607.318     (可変)                        29.00     
7     57.644     1.80     1.48749     70.2     17.71     
8    117.611     0.50                          17.78     
9     86.076     1.89     1.51633     64.1     17.86     
10  -107.609     7.96                          17.89     
11(絞り)  ∞     1.70                          18.68     
12    31.970     5.76     1.59522     67.7     19.10     
13   -26.162     0.80     1.85478     24.8     18.71     
14   -79.620     (可変)                        18.67     
15   -66.569     2.43     1.84666     23.9     15.87     
16   -20.036     1.00     1.80610     40.9     16.08     
17    62.435     (可変)                        16.60     
18*  141.045     3.49     1.58313     59.4     18.72     
19   -24.998     0.15                          19.23     
20   110.102     2.99     1.49700     81.5     19.51     
21   -37.800     1.00     1.85026     32.3     19.53     
22     ∞        (可変)                        19.79     
像面   ∞                         
【０１１６】
非球面
データ                              
円錐定数   4次の係数   6次の係数   8次の係数  10次の係数  12次の係数
K          B           C           D           E           F
第3面
0.0000E+00  1.2029E-05 -4.7250E-08 -3.7327E-11  8.0522E-13 -1.5699E-15
第4面
0.0000E+00 -1.8317E-05 -5.0362E-08 -4.5008E-10  3.0974E-12 -7.2054E-15
第18面
0.0000E+00 -1.5762E-05 -3.1673E-08  1.0413E-09 -1.3333E-11  5.8201E-14
【０１１７】
各種データ      広角端    中間       望遠端               
焦点距離        15.40     25.00      45.00                
Fno              2.80      3.27       4.50                
ω（度）        41.57     28.65      16.89                
像高            13.66     13.66      13.66                
レンズ全長     143.51    128.94     133.48                
BF              35.50     44.04      63.49                
入射瞳位置      21.56     19.20      16.65                
射出瞳位置     -51.70    -45.79     -34.42                
前側主点位置    34.24     37.24      40.97                
後側主点位置    20.10     19.04      18.49                
【０１１８】
可変間隔                              
面番号     広角端     中間      望遠端               
6          40.11      16.47      1.50                
14          2.21       7.30     14.20                
17         13.41       8.85      2.02                
22         35.50      44.04     63.49                
【０１１９】
群データ                              
群    始面  焦点距離  レンズ構成長 前側主点位置 後側主点位置     
1      1     -25.44      20.80      3.06        -15.10      
2      7      32.37      20.41      8.65         -9.37      
3     15     -41.90       3.43      0.90         -0.95      
4     18      43.34       7.63      0.98         -3.86      
【０１２０】
単レンズデータ                              
レンズ     始面    焦点距離                    
1           1      -35.770                    
2           3      -31.780                    
3           5       51.180                    
4           7      229.650                    
5           9       92.930                    
6          12       25.100                    
7          13      -45.900                    
8          15       33.060                    
9          16      -18.720                    
10         18       36.700                    
11         20       57.000                    
12         21      -44.460                    
【０１２１】
[数値実施例６]
単位 mm                              
面番号   R         D        Nd        νd     光線有効径     
1    141.789     1.80     1.91082     35.3     53.35     
2     60.659     8.81     1.49700     81.5     52.16     
3   -489.812     0.15                          52.08     
4     56.310     6.66     1.59522     67.7     51.32     
5    297.753     (可変)                        50.64     
6*   146.922     1.50     1.85135     40.1     28.37     
7     18.515     5.00                          22.91     
8    -78.718     1.20     1.72916     54.7     22.73     
9     22.009     4.82     1.85478     24.8     21.22     
10  -128.226     0.61                          20.60     
11   -64.644     1.00     1.76385     48.5     20.41     
12    26.205     1.99     1.85478     24.8     19.25     
13    51.043     (可変)                        18.90     
14    36.221     1.80     1.74000     28.3     18.10     
15    57.990     1.86                          18.22     
16(絞り)  ∞     (可変)                         18.68     
17  4817.464     1.99     1.72916     54.7     18.76     
18   -49.475     (可変)                        19.00     
19    29.514     4.87     1.49700     81.5     20.72     
20   -40.710     1.00     2.00069     25.5     20.42     
21  -206.017     0.15                          20.43     
22    35.561     3.27     1.48749     70.2     20.25     
23  -108.442     (可変)                        19.91     
24   -77.718     1.74     1.76182     26.5     15.03     
25   -27.493     1.00     1.85135     40.1     15.03     
26*   51.684     2.57                          15.15     
27   -23.204     1.00     1.88300     40.8     15.39     
28   -44.058     (可変)                        16.18     
29* -693.257     4.59     1.58313     59.4     22.30     
30   -21.723     0.15                          22.96     
31    89.255     6.83     1.48749     70.2     22.89     
32   -20.637     1.00     2.00069     25.5     22.64     
33   -40.382     0.15                          23.32     
34   167.649     7.28     1.80518     25.4     23.14     
35   -18.302     1.00     1.88300     40.8     22.83     
36   102.547     (可変)                        22.64     
像面     ∞                         
【０１２２】
非球面
データ                              
円錐定数   4次の係数   6次の係数   8次の係数  10次の係数  12次の係数
K          B           C           D           E           F
第6面
0.0000E+00  1.8977E-06 -6.1390E-09  7.3862E-12 -1.1263E-14 -4.4518E-18
第26面
0.0000E+00 -6.4079E-06  6.0301E-09 -8.1907E-11  5.7961E-13  0.0000E+00
第29面
0.0000E+00 -9.9316E-06  1.7361E-08 -9.9229E-11  3.7909E-13  0.0000E+00
【０１２３】
各種データ      広角端      中間      望遠端               
焦点距離         18.40      55.00     292.00                
Fno               3.29       4.87       6.30                
ω（度）         36.59      13.95       2.68                
像高             13.66      13.66      13.66                
レンズ全長      168.30     195.93     248.31                
BF               36.09      60.42      80.44                
入射瞳位置       31.54      78.32     351.35                
射出瞳位置      -91.94     -63.54     -44.86                
前側主点位置     47.30     108.91     -37.13                
後側主点位置     17.69       5.42    -211.56                
【０１２４】
可変間隔                              
面番号     広角端     中間       望遠端               
5         1.00      25.89      66.66                
13        31.51       9.91       1.50                
16         8.96       9.89       0.19                
18         3.99       3.06      12.76                
23         1.68       6.09       9.97                
28         9.29       4.88       1.00                
36        36.09      60.42      80.44                
【０１２５】
群データ                              
群    始面  焦点距離 レンズ構成長 前側主点位置 後側主点位置     
1      1     107.72     17.42       5.70         -5.46      
2      6     -14.17     16.12       3.86         -6.31      
3     14     125.96      3.66      -1.66         -4.52      
4     17      67.17      1.99       1.14         -0.01      
5     19      37.55      9.29       2.22         -4.07      
6     24     -20.50      6.31       1.86         -2.69      
7     29      37.74     21.00      -0.18        -11.92      
【０１２６】
単レンズデータ                         
レンズ     始面   焦点距離                    
1          1     -117.630                    
2          2      109.180                    
3          4      115.480                    
4          6      -25.020                    
5          8      -23.470                    
6          9       22.310                    
7         11      -24.300                    
8         12       60.760                    
9         14      125.960                    
10         17       67.170                    
11         19       35.240                    
12         20      -50.850                    
13         22       55.340                    
14         24       55.020                    
15         25      -20.960                    
16         27      -56.790                    
17         29       38.360                    
18         31       35.100                    
19         32      -43.270                    
20         34       20.860                    
21         35      -17.520                    
【０１２７】
【表１】
2015152765.tif 000004
【０１２８】
【表２】
2015152765.tif 000005
【符号の説明】
【０１２９】
ＯＬ    ズームレンズ    Ｌ１    第１レンズ群    Ｌ２    第２レンズ群
Ｌ３    第３レンズ群    Ｌ４    第４レンズ群    Ｌ５    第５レンズ群
Ｌ６    第６レンズ群    Ｌ７    第７レンズ群
Ｌｐ１  部分群Ｌｐ１      Ｌｐ２  部分群Ｌｐ２
【図１】
2015152765.tif 000006
【図２】
2015152765.tif 000007
【図３】
2015152765.tif 000008
【図４】
2015152765.tif 000009
【図５】
2015152765.tif 000010
【図６】
2015152765.tif 000011
【図７】
2015152765.tif 000012
【図８】
2015152765.tif 000013
【図９】
2015152765.tif 000014
【図１０】
2015152765.tif 000015
【図１１】
2015152765.tif 000016
【図１２】
2015152765.tif 000017
【図１３】
2015152765.tif 000018
【図１４】
2015152765.tif 000019
【図１５】
2015152765.tif 000020
【図１６】
2015152765.tif 000021
【図１７】
2015152765.tif 000022
【図１８】
2015152765.tif 000023
【図１９】
2015152765.tif 000024